(57)【要約】      （修正有）【課題】メガネフレームのフロント部を構成するＴ型リムに嵌るレンズが破損しないようにしたＣ型クッション樹脂を嵌着したＴ型リムを提供する。【解決手段】リムは基部の内周面に凸部を沿設した概略Ｔ型断面を成し、この凸部表面を被覆する為に弾力性のある樹脂を材質としてその形状を概略Ｃ型を成し、凸部が嵌る空間３は開口４と連通し、該開口４を押し開いて凸部に嵌着することが出来る。【選択図】図１
0003160025.tif 000002
【実用新案登録請求の範囲】
【請求項１】
メガネフレームのフロント部を構成してレンズが嵌るリムであって、該リムは基部の内周面に凸部を沿設した概略Ｔ型断面を成し、この凸部表面を被覆する為のクッション材において、該クッション材は弾力性のある樹脂を材質としてその形状を概略Ｃ型とし、凸部が嵌る空間は開口と連通し、該開口を押し開いて凸部に嵌着されることを特徴とするＣ型クッション樹脂。
【請求項２】
凸部表面を被覆する為に概略Ｃ型を成した両側部の先端に基部と凸部の空間に係合する係合部を形成した請求項１記載のＣ型クッション樹脂。
【請求項３】
メガネフレームのフロント部を構成してレンズが嵌るＴ型リムにおいて、該Ｔ型リムは基部と凸部を有し、基部と凸部は幅寸法の細い首部にて繋がれ、そして凸部には弾力性のあるＣ型クッション樹脂を嵌着し、先端に形成した係合部を基部と凸部の間に形成される空間に係合したことを特徴とするメガネフレームのＴ型リム。
【考案の詳細な説明】
【技術分野】
【０００１】
本考案はリムの内周面に取付けてレンズ外周を保護する為のＣ型クッション樹脂、及びこのＣ型クッション樹脂を嵌着したＴ型リムに関するものである。
【背景技術】
【０００２】
メガネフレームのリムはレンズを保持するための部材であり、図３に示すように、フロントフレーム（イ）にはリム（ロ） 、（ロ） が連結部材（ハ）を中心として左右対称に設けられ、該リム（ロ）、（ロ） の外側にロウ付けしたヨロイ（ニ）、（ニ）には蝶番（ホ）、（ホ）を介してツル（ヘ）、（ヘ）を折畳み自在に連結している。またリム（ロ）、（ロ）には上記連結部材（ハ） の下方に鼻当てパット（ト）、（ト） が取付けられている。
【０００３】
上記図３に示すメガネフレームはシンプルな基本形態であって、実際のメガネフレームはそのデザインが色々と工夫されたものとなっている。ところで、該リム（ロ）の断面は図４にその拡大図を示すように、凹溝（チ）を全周にわたって形成し、該凹溝（チ）にレンズ（リ） 外周に形成した凸部（ヌ） が嵌合して、該レンズ（リ）はリム（ロ） に止着されることになる。
【０００４】
このように、内周に凹溝（チ）を形成したリム（ロ）の場合、メガネフロントの正面からの高さ寸法Ｍは大きくなり、デザイン上好ましくない。すなわち、リム（ロ）に嵌ったレンズ（リ）が外れないように、凹溝（チ）の深さがある程度必要となる。凹溝深さが深くなると必然的にリム高さ寸法Ｍが大きく成ってしまい、メガネフロント部の外観が損なわれる。
【０００５】
そこで、リム内周に凹溝を形成するのではなく凸部を沿設し、レンズ外周に凹溝を設け、該レンズ凹溝に凸部が嵌るようにした構造も知られ、図５はその具体例である。この場合には、レンズ（リ）の外周に凹溝（ル）を形成し、リム（ロ）には凸部（オ）を設けたＴ型形状とし、該凹溝（ル）に凸部（オ）が嵌着してレンズ（リ）が止着される。このようなＴ型リム断面形状とすることで、外部に露出するリム（ロ）の表面積、特に前面（正面）から見るリム（ロ）の高さ寸法ｍは小さくなり、メガネフレームのデザインとしては好ましい形状となる。
【０００６】
リム断面をこのようなＴ型形状とした場合、デザイン上は良好となるが、レンズ（リ）の凹溝（ル）開放先端の角部（ワ）にはクラックが発生する。これはリム（ロ）の反り具合とレンズ（リ）の湾曲が一致しないため、またメガネを着用する際にツル（ヘ）、（ヘ）から伝わる開閉力がフロントフレーム（イ）のリム（ロ） を曲げ、上記角部（ワ）に集中応力が作用することに起因する。
【０００７】
その為に、該角部（ワ）に凸部（オ）が接しないように、凸部（オ）の断面形状を台形として、隙間（カ）を形成している。実開平６−２３０２４号に係る「メガネフレームのリム」はこの具体例であり、リムの内周面に凸部を形成し、該凸部をレンズ外周の凹溝に嵌合することでレンズを止着する構造と成っている。そこで、凸部にレンズの凹溝が嵌合した場合、凹溝の開放先端角部と凸部との間に前以て隙間を形成しておき、リムの反り具合やリムの曲げ変形により角部が接触しないようになる。
【０００８】
しかし、レンズ外周の凹溝（ル）に凸部（オ）が嵌ることで、凹溝（ル）を挟んだ側壁部（ヨ）、（ヨ）の厚さは小さくなる。すなわち、角部（ワ）が凸部（オ）に接することはないが、薄くなった側壁部（ヨ）の強度が低下して作用する応力によって破損する虞がある。
【特許文献１】実開平６−２３０２４号に係る「メガネフレームのリム」
【考案の開示】
【考案が解決しようとする課題】
【０００９】
このようにメガネフレームのリムには上記のごとき問題がある。本考案が解決しようとする課題はこの問題点であり、レンズの角部のみならず薄くなった側壁部が破損しないように、凸部を被覆するＣ型クッション樹脂及びＴ型リムを提供する。
【課題を解決するための手段】
【００１０】
本考案が対象とするメガネフレームのリムはＴ型リムであり、内周には凸部を沿設している。そして、Ｔ型リムの凸部に本考案のＣ型クッション樹脂が嵌着して該凸部を被覆することが出来る。ここで、凸部の形状は従来のように台形とする場合に限定せず、概略円形とする場合もあり、凹溝に嵌った状態で角部が接しないように隙間が形成される。Ｃ型クッション樹脂は基本的に少なくとも多少の弾力性を備え、凹溝を挟んだ側壁部に無理な応力が発生しないようにしている。又、凸部に嵌着したＣ型クッション樹脂が外れないように、先端には係合部を形成している。
【考案の効果】
【００１１】
本考案のＣ型クッション樹脂はＴ型リムの内周に沿設している凸部に嵌着され、該凸部表面はＣ型クッション樹脂にて被覆される。従って、リムにレンズが嵌る場合、Ｃ型クッション樹脂が被覆された凸部はレンズ外周の凹溝に嵌合する。従って、凸部とレンズの間にはＣ型クッション樹脂が介在していることで、リムが変形した場合であってもレンズに無理な応力が作用せず、Ｃ型クッション樹脂が変形してレンズの破損が抑制される。
【００１２】
Ｃ型クッション樹脂はその断面を概略Ｃ型としたチューブであって、リム周長に合わせて適度な長さに切断し、凸部に嵌着することが出来る。Ｃ型クッション樹脂は凸部形状に合わせて製作され、開口を押し開いて凸部に嵌着される。ここで、リムは円形のフルリムであっても、ハーフリムであっても構わず、又リム凸部の全長にわたってＣ型クッション樹脂を嵌着しなくても、複数の短いＣ型クッション樹脂を凸部に隙間を介在して嵌着することも出来る。
【図面の簡単な説明】
【００１３】
【図１】本考案に係るＣ型クッション樹脂を示す具体例。
【図２】Ｃ型クッション樹脂をリムの凸部に嵌着してレンズを嵌めた状態の断面図。
【図３】一般的なメガネフレーム。
【図４】リムにレンズが嵌った状態の断面図。
【図５】Ｔ型リムにレンズが嵌った状態の断面図。
【考案を実施するための形態】
【００１４】
図１は本考案に係るＣ型クッション樹脂を示す具体例であり、その形状は概略Ｃ型を成した長尺部材である。両側部１，１と側部先端には係合部２，２を設け、内部は空間３と成っており、両係合部２，２の間には開口４が連続して形成されている。そして、Ｃ型クッション樹脂の材質は柔らかくて柔軟性のある材質とし、外部からの力に対して側部１は変形することが出来る。
【００１５】
図２はこのＣ型クッション樹脂をＴ型リムの凸部に嵌着した場合の断面図を示している。リム５は基部６と凸部７から成っていて、凸部７は基部６の内周面８から突出し、その断面は概略Ｔ型を成している。そして凸部７は基部６を細くなった首部９にて繋がれ、該凸部７の断面形状は概略長方形とし、コーナーは丸みを形成している。
【００１６】
ここで凸部７の幅寸法をＬ2 とし、基部６と連結する首部９の幅寸法はＬ1 とするならば、幅寸法Ｌ2 ＞首部の幅寸法Ｌ1 の関係にある。このような断面を成すリム線は引き抜き、又はローリング等の加工手段を用いて成形され、所定の長さに切断した後でリング状に曲げ成形される。又、フルリムではなく水糸との組み合わせでレンズを保持するナイロールフレームの場合には、概略Ｃ型をしたハーフリムとなる。
【００１７】
そして、レンズ１０の外周には断面四角形の凹溝１１が形成されて、この凹溝１１に上記凸部７が嵌入した状態にあるが、該凸部７には本考案のＣ型クッション樹脂１２が嵌着されている。従って、凹溝１１の内面に凸部７が直接接することはなく、Ｃ型クッション樹脂１２が当るように成る。該Ｃ型クッション樹脂１２は弾性に優れた材質であり、ツルの開閉操作に伴ってリム５が変形しても、レンズ１０に無理な応力が作用しないことになる。
【００１８】
上記凹溝１１は上記凸部７にＣ型クッション樹脂１２が嵌着した状態の幅寸法Ｌ３ を有し、凹溝１１の内側面１３，１３はＣ型クッション樹脂１２と接しているが、側壁部１４，１４の先端部内側面１３，１３は接することなく隙間１５，１５を有している。従って、リム５の曲げ変形に際して最も欠け易い角部に応力が作用しない構造と成っている。
【００１９】
ところで、リム５の内周に沿設される上記凸部７の形状は、同図に示すような四角形に限定せず、円形又は楕円形とする場合もある。本考案のＣ型クッション樹脂１２は所定の長さに切断し、開口４を拡げて凸部７に嵌着することが出来る。そして、両側部１，１の先端に形成した係合部２，２は首部９の両側空間に係合して外れないように取付けられる。又、Ｃ型クッション樹脂を短く切断し、複数の小さいＣ型クッション樹脂を凸部に嵌着することも可能である。勿論、この場合、各Ｃ型クッション樹脂の間には隙間を設けることが出来る。
【００２０】
本考案のリム形状はフルリムであっても、ハーフリムであっても構わないが、特に変形し易いハーフリムの場合にはその効果は大きく、Ｃ型クッション樹脂を凸部に嵌着することで、レンズの破損を抑制することが出来る。
【符号の説明】
【００２１】
１  側部
２  係合部
３  空間
４  開口
５  リム
６  基部
７  凸部
８  内周面
９  首部
10  レンズ
11  凹溝
12  Ｃ型クッション樹脂
13  内側面
14  側壁部
15  隙間
【図１】
0003160025.tif 000003
【図２】
0003160025.tif 000004
【図３】
0003160025.tif 000005
【図４】
0003160025.tif 000006
【図５】
0003160025.tif 000007